(57)【特許請求の範囲】
【請求項１】
遠赤外線放射セラミックスを練り込んだ繊維を用いた布地からなる上半身用下着において、前身頃部１０と後ろ身頃部１１は、それぞれ表地と裏地の２枚重ね合わせとし、かつ、前記前身頃部１０には、身体の腹部における複数の経穴に位置して遠赤外線放射シート４０を挿入する前ポケット部１６を形成し、前記後ろ身頃部１１の表地と裏地の間には、身体の背部における複数の経穴に位置して遠赤外線放射シート４０を挿入する後ポケット部５５を形成し、前身頃部１０は、前身頃表地４４と前身頃裏地４５の２枚重ね合わせからなり、このうち前身頃表地４４は、上辺が肩幅と略同一幅を有し、上辺の中央部に半円状の首穴部１９を切り欠き、この首穴部１９の中央から垂直にファスナー取付け部１２を切り欠き、上辺両側から下辺の裾部にかけて上辺の約半分の幅の逆台形をなし、この前身頃表地４４に前脇腹表地４６を縫着してなり、前記前身頃裏地４５は、前記前身頃表地４４と同一形状をなし、首穴部１９とファスナー取付け部１２を有し、この前身頃裏地４５に前脇腹裏地４７を縫着してなり、これらの前身頃表地４４と前身頃裏地４５、前脇腹表地４６と前脇腹裏地４７がそれぞれ２枚重ね合せの状態で縫着され、前記ファスナー取付け部１２の両側であって、裏地側に細幅の補助部１５にファスナ１４を取り付けて縫着し、この補助部１５の下方の裏地側には、遠赤外線放射シートを挿入するための前ポケット部１６を形成し、前ポケット部１６は、だん中、中かん、水分のうちのいずれか１つ又は２つ以上の径穴をカバーできるものとしたことを特徴とした上半身用下着。
【請求項２】
遠赤外線放射セラミックスを練り込んだ繊維を用いた布地からなる上半身用下着において、前身頃部１０と後ろ身頃部１１は、それぞれ表地と裏地の２枚重ね合わせとし、かつ、前記前身頃部１０には、身体の腹部における複数の経穴に位置して遠赤外線放射シート４０を挿入する前ポケット部１６を形成し、前記後ろ身頃部１１の表地と裏地の間には、身体の背部における複数の経穴に位置して遠赤外線放射シート４０を挿入する後ポケット部５５を形成し、後ろ身頃部１１は、後ろ身頃表地４８と後ろ身頃裏地４９の２枚重ね合わせからなり、このうち後ろ身頃表地４８は、上辺が肩幅と略同一幅を有し、上辺両側から下辺の裾部にかけて上辺の約半分の幅の逆台形をなし、この後ろ身頃表地４８に後ろ脇腹表地５０を縫着してなり、前記後ろ身頃裏地４９は、前記後ろ身頃表地４８と同一形状をなし、この後ろ身頃裏地４９に後ろ脇腹裏地５１を縫着し、これらの後ろ身頃表地４８と後ろ身頃裏地４９、後ろ脇腹表地５０と後ろ脇腹裏地５１がそれぞれ２枚重ね合せの状態で縫着され、前記後ろ身頃表地４８と後ろ身頃裏地４９とは、挿入口１８を除いて周縁部を縫着することで、これらの２枚重ね合わせの間は、挿入口１８から前記遠赤外線放射シート４０を挿入するための後ろポケット部５５となり、この後ろポケット部５５は、上半身の背骨の両側に沿って存在する風門２４、肩井２５、肺兪２６、心兪２７、膈兪、肝兪、脾兪３０、胃兪、腎兪３２のうちのいずれか１つ又は２つ以上の径穴をカバーできるものとしたことを特徴とした上半身用下着。
【発明の詳細な説明】
【０００１】
【発明の属する技術分野】
本発明は、遠赤外線の放射による温熱効果を有する布地を利用した、特に、経穴（つぼ）に効果的な上半身用下着に関するものである。
【０００２】
【従来の技術】
下着は、特に冬場や寒い地域など、外気の温度が低いところで着用するものは、通気性に優れるだけではなく、保温性や人体の自己発熱性にも優れることが望まれる。
そのため、従来の冬期用の下着には厚手の綿生地や起毛の布地等が用いられることが多い。また、近年では、遠赤外線放射物質等の特殊な繊維を全体又は一部に用いた下着が市販されている。
【０００３】
【発明が解決しようとする課題】
従来の下着には、以下の問題点があった。
人間の身体には約１０００以上の経穴（つぼ）と呼ばれる治療ポイントがあり、各経穴は経絡を通じて内蔵や各組織とつながっていて、それらの経穴を指圧したり温熱刺激を与えたりすることにより病気を治癒し、健康を維持できるとされている。また、経穴の他に奇穴や新穴といった治療ポイントもあり、これらも健康維持や病気治療に用いられる。
【０００４】
しかし、従来の下着は、体感温度を高めることを目的として作成されているものの、上記のような経穴や奇穴等を刺激することを目的として作られたものはほとんどなかった。
【０００５】
すなわち、従来の下着のうち、遠赤外線効果を有する製糸からなる布地のみから作成されたものは、遠赤外線の効果により身体全体を暖めることはできるが、身体の経穴部分を集中的にかつ長時間暖めることは不可能であった。
そのため、下着による防寒・保温効果は期待できても、経穴の温熱刺激による治療効果までは期待できなかった。
【０００６】
一方、従来の下着のうち、身体の特定位置に遠赤外線放射効果を有する物質を塗布したり、遠赤外線放射効果を有する小型の遠赤外線放射シートをポケット等に挿入するものも見受けられるが、塗布部分やポケットが画一的な位置に移動不可能な状態で設けられていた。
そのため、塗布部分やポケットに挿入されたシート部分を暖めることはできても、着用者の治療ポイントに応じた経穴を集中的に暖めることはできず、経穴の温熱刺激による治療効果までは期待できなかった。
また、骨格・筋肉・脂肪のつき方・姿勢などの体型は、人により異なるので、画一的な位置では、遠赤外線放射シートが肝心な暖めたい位置に当接せずに充分な人体の自己発熱果を得ることができず、また、目的の位置に当接するように調整することも不可能であった。
更に、同一人物であっても疾患や症状によって暖めたい箇所を異ならせようとしても、症状の変化に合せて暖める位置を変更できなかった。
【０００７】
従来の下着は、シャツやセーター等の衣服の下に着用するものであることから、一枚の布地から形成されていることが多かった。そのため、体表から放射された熱は布地を通り過ぎてしまい、保温効果が充分にあがらず、遠赤外線放射物質を含有する繊維による温熱効果が低く、身体を充分に暖めることができないという問題があった。
【０００８】
本発明の第１の目的は、経穴の温熱効果を得ることを可能とする上半身用下着を提供することである。
本発明の第２の目的は、身体の重要な経穴が集まるできるだけ広い範囲を暖めることを可能とする上半身用下着を提供することである。
本発明の第３の目的は、着用者の体型や着用時の状況に応じた任意の経穴を長時間かけて集中的に暖めることを可能とする上半身用下着を提供することである。
【０００９】
【課題を解決するための手段】
本発明による上半身用下着は、遠赤外線放射セラミックスを練り込んだ繊維を用いた布地からなる上半身用下着において、前身頃部１０と後ろ身頃部１１は、それぞれ表地と裏地の２枚重ね合わせとし、かつ、前記前身頃部１０には、身体の腹部における複数の経穴に位置して遠赤外線放射シート４０を挿入する前ポケット部１６を形成し、前記後ろ身頃部１１の表地と裏地の間には、身体の背部における複数の経穴に位置して遠赤外線放射シート４０を挿入する後ポケット部５５を形成してなることを可能としたものである。
また、前身頃部１０の前ポケット部１６と後ろ身頃部１１の後ポケット部５５におけるそれぞれの挿入口１７、１８から挿入した遠赤外線放射シート４０を、下着着用者の目的の経穴に合せて位置調整可能にしたものである。
【実施例】
【００１０】
身体における上半身の前面には、腹部の中央線に沿って重要な多数の経穴が存在する。代表的なものとして、例えば、以下のようなものがある。
だん中（だんちゅう）：胸部の中央で、左右の乳頭の中間にあり、心臓・呼吸器・肋間神経、乳腺の痛み、食道けいれん等の治療に効果を発揮する。
中かん（ちゅうかん）：上腹部の中央で、へそとみぞおちの中間にあり、腹部の内臓・消化器全般の病気、食欲不振、ノイローゼ、不眠症等の治療に効果を発揮する。
水分（すいぶん）：へその上３〜４ｃｍのところにあり、大腸の水分バランスを整える働きを有し、下痢等の治療に効果を発揮する。
気海（きかい）：へそ下４〜５ｃｍのところにあり、精神症時の呼吸促迫、婦人病・泌尿器・消化器の急性の痛みの治療に効果を発揮する。
【００１１】
身体における上半身の背面には、背骨の両側に沿って重要な多数の経穴が存在する。代表的なものとして、例えば、図５に示すように、以下のようなものがある。
風門（ふうもん）２４：第２胸椎の棘突起の直下から、左右に約３〜４ｃｍのところ（左右１箇所ずつ）にあり、鼻・のど・気管支・肺などの発熱性又は寒性疾患等の治療に効果を発揮する。
肩井（けんせい）２５：肩の上縁で、乳頭を通る垂直延長線と交わるところ（左右１箇所ずつ）にあり、肩こり、めまい、寝違い、呼吸器の病気等の治療に効果を発揮する。
肺兪（はいゆ）２６：第３・第４胸椎棘突起の真下から左右にそれぞれ約３〜４ｃｍのところにあり、肺に関する一切の疾患（肺・鼻・喉・気管・皮膚）の治療に効果を発揮する。
心兪（しんゆ）２７：第５・第６胸椎棘突起の直下から、左右に約３〜４ｃｍのところ（左右１箇所ずつ）にあり、精神症、高血圧等の治療に効果を発揮する。
膈兪（かくゆ）：第７・第８胸椎棘突起の直下から、左右に約３〜４ｃｍのところ（左右１箇所ずつ）にあり、気管支炎、ぜんそく、食欲不振、嚥下困難、ノイローゼ、ヒステリー、胃炎、神経性嘔吐等の治療に効果を発揮する。
肝兪（かんゆ）：第９・第１０胸椎棘突起の直下から、左右に約３〜４ｃｍ外方で、背中を走る太い筋肉の上（左右１箇所ずつ）にあり、肝臓・消化器・筋肉・目の病気、寒気、ふるえ、イライラ、ノイローゼ、不眠症、解毒等の治療に効果を発揮する。
脾兪（ひゆ）３０：第１１胸椎棘突起の直下から、左右に約３〜４ｃｍ外方で、背中を走る太い筋肉の上（左右１箇所ずつ）にあり、消化器全般、糖尿病、黄疸、健忘症、嗜眠、ノイローゼ等の治療に効果を発揮する。
胃兪（いゆ）：第１２胸椎棘突起の直下から、左右に約３〜４ｃｍ外方（左右１箇所ずつ）にあり、急性の胃の痛み、消化器一般に関する病気の治療に効果を発揮する。
腎兪（じんゆ）３２：第２腰椎棘突起の真下から３〜４ｃｍ外方（左右１箇所ずつ）にあり、生殖器・泌尿器・消化器・神経系の病気で生命力の衰えからくるものの治療に効果を発揮する。
【００１２】
以上のような上半身の経穴に効果を発揮する上半身用下着の実施例を図１〜図４に基づき説明する。
本発明による上半身用下着は、表地と裏地が全て遠赤外線放射物質のセラミックスを練り込んだ繊維からなる布地のみにより形成されている。
また、本発明による上半身用下着は、前身頃部１０、後ろ身頃部１１及び両袖部１３からなり、これらの各部は、前記遠赤外線放射布地を１枚だけの部分、２枚重ね合せの部分、３枚重ね合せの部分により形成される。
【００１３】
前記前身頃部１０は、図１に全体を示し、図２（ａ）に表地を示し、図２（ｂ）に裏地を示している。これらのうち、図２（ａ）において、前身頃表地４４は、上辺が肩幅と略同一幅を有し、上辺の中央部に半円状の首穴部１９を切り欠き、さらに、この首穴部１９の中央から垂直にファスナー取付け部１２を切り欠き、両側辺上方の袖取り付け部の下側から下辺の裾部４３にかけて上辺の約半分の幅の逆台形をなしている。
この前身頃表地４４には、両側辺上方にそれぞれ袖部１３となる袖部表地５２が縫着され、この袖部表地５２の下部から裾部４３の間には、上辺が狭く、下辺が広い前脇腹表地４６が縫着される。
【００１４】
また、図２（ｂ）において、前身頃裏地４５は、前記前身頃表地４４と同一形状をなし、首穴部１９とファスナー取付け部１２を有する。
この前身頃裏地４５の側辺上方には、袖部裏地はなく、また、前脇腹裏地４７は、前記前脇腹表地４６と比較して上部と下部を切り取った形状をなしている。
【００１５】
これらの前身頃表地４４と前身頃裏地４５、前脇腹表地４６と前脇腹裏地４７がそれぞれ２枚重ねの状態で縫着され、袖部表地５２は１枚の状態で縫着される。
前記ファスナー取付け部１２の両側であって、裏地側には、図２（ｃ）に示すような細幅の補助部１５にファスナ１４を取り付けて縫着される。
さらに、この補助部１５の下方の裏地側には、遠赤外線放射シートを挿入するための前ポケット部１６を形成する。この前ポケット部１６は、図２（ｄ）に示すように、前記補助部１５と略同一幅とし、縦方向の長さを約２０ｃｍとし、両側辺と底辺の３辺のみを縫着し、上辺は開放させて遠赤外線放射シートの挿入口１７とする。この結果、前ポケット部１６は、腹部の経穴のうちの１又は２以上のだん中、中かん、水分、気海をカバーできるものとする。
なお、ファスナ１４を完全に下ろし切ったときにファスナ１４の金具を直接肌に触れさせないために、前記前ポケット部１６の上縁が前記ファスナ１４の下端のほんの少し上にくるようにする。
【００１６】
前記後ろ身頃部１１は、図３に全体を示し、図４（ａ）に表地を示し、図４（ｂ）に裏地を示している。これらのうち、図４（ａ）において、後ろ見頃表地４８は、前記前見頃表地４４と略同様、上辺が広幅で、下辺が上辺の約半分の幅をした形状であるが、首穴部とファスナー取付け部を有しない。後ろ身頃部１１における袖部表地５３と後ろ脇腹表地５０についても、前記前身頃部１０における袖部表地５２と前脇腹表地４６と略同様の形状である。
【００１７】
また、図４（ｂ）において、後ろ身頃裏地４９は、前記後ろ身頃表地４８と同一形状をなしているが、両側の袖取付け部のやや下方に、それぞれ前記遠赤外線放射シート４０を挿入するための挿入口１８となるように、やや切り欠きを形成する。
この後ろ身頃裏地４９の側辺上方には、袖部裏地はなく、また、後ろ脇腹裏地５１は、前記前脇腹裏地４７と同様上部と下部を切り取った形状をなしている。
【００１８】
これらの後ろ身頃表地４８と後ろ身頃裏地４９、後ろ脇腹表地５０と後ろ脇腹裏地４７がそれぞれ２枚重ねの状態で縫着され、また、袖部表地５３は１枚の状態で縫着される。
さらに、前記後ろ身頃表地４８と後ろ身頃裏地４９とは、挿入口１８を除いて周縁部を縫着することで、これらの２枚重ね合わせの間は、挿入口１８から前記遠赤外線放射シート４０を挿入するための後ろポケット部５５となる。縫製に際しては、図３に示すように、肩の中間から挿入口１８の上端を結ぶ線と、首の付け根の両側から背骨の第３・第４胸椎棘突起の位置程度までを結ぶ３角形の線とに鎖線で示すようにステッチ５４を入れることで、後ろポケット部５５の形状は、図７に示した経穴をできるだけ多くカバーでき、かつ、前記後ろ身頃表地４８と後ろ身頃裏地４９とのずれを防止している。しかし、ステッチ５４は、必ずしも無くても良い。
【００１９】
以上のように構成された前身頃部１０と後ろ身頃部１１とを縫着し、かつ、左右の袖部１３の前身頃用袖地５２と後ろ身頃用袖地５３とを縫着して上半身用下着が構成される。
【００２０】
さらに詳しくは、この両脇部１２のうち、袖部１３の付け根のすぐ下（脇下部４１）は、肩の回りをよくするために、１枚の布地により形成する。また、裾から数ｃｍの部分の脇裾部４２は、ズボンの中にしまいこむので、１枚の布地により形成する。
【００２１】
両袖部１３は、前身頃用袖地５２と後ろ身頃用袖地５３の２枚の布を重ね合せて長さをひじ上程度とし、下縁部を縫着して筒状にし、また、袖部１３の付け根部分は、前記前身頃部１０、後ろ身頃部１１及び左右それぞれの脇部１２と縫着する。
【００２２】
遠赤外線放射セラミックス使用のゴムマット治療器としての前記遠赤外線放射シート４０は、本出願人により既に登録されたもの（実用新案登録第３０６０２８１号）であり、これは、公知の遠赤外線放射シート（特許第１３８６５６０号）と医療用シリコンゴムを混合してゴム板状にし、形状を縦５ｃｍ、横７ｃｍ、厚み２ｍｍ程度の薄い長方形に形成したものである。
【００２３】
本発明による上半身用下着に前記遠赤外線放射シート４０を固定するときは、以下の方法で行う。
（１）上半身の腹部の中央線に沿って存在する経穴、例えば、だん中、中かん、水分、気海などのうちいずれか１つ又は２つ以上の径穴に位置するように、前記遠赤外線放射シート４０を、ポケット部１６の挿入口１７から挿入する。
また、上半身の背骨の両側に沿って存在する経穴、例えば、図５に示す風門２４、肩井２５、肺兪２６、心兪２７、膈兪（図示せず）、肝兪（図示せず）、脾兪３０、胃兪（図示せず）、腎兪３２などのうちいずれか１つ又は２つ以上の径穴に位置するように、前記遠赤外線放射シート４０を、後ろポケット部５５の挿入口１８から挿入する。
（２）使用者が上半身用下着を着用した状態で前記遠赤外線放射シート４０の位置を着用者の経穴位置に合わせて移動し、待ち針等で仮止めする。
（３）前記遠赤外線放射シート４０の周囲の２枚の布地を縫着する。
（４）前記遠赤外線放射シート４０は、着用者の希望や症状に合わせて、複数箇所に取付けてもよく、この場合は、（１）〜（３）の作業を繰り返す。
【００２４】
前述した経穴は単独で温熱刺激を与えても病気の治療効果を発揮するが、複数の経穴を組合わせて暖めることにより、より高い治療効果を得ることが可能となる。
例えば、風邪を治したい場合は、図５に示すように、風門２４、肺兪２６、隔兪２７、脾兪３０、腎兪３２等の経穴に当たるように前記遠赤外線放射シート４０を固定する。また、肩こりを緩和させたい場合には、図５に示すように、肩井２５の経穴に当たるように前記遠赤外線放射シート４０を固定する。
【００２５】
前述の各経穴の位置はおおよその目安であり、詳細な位置は着用者によって微妙に異なるため、本発明による下着の内部に前記遠赤外線放射シート４０を固定する場合は、着用者独自の経穴を探し、正しい経穴に前記遠赤外線放射シート４０が確実に触れるようにする。
【００２６】
図１に示す実施例では、前記遠赤外線放射シート４０を挿入するための前ポケット部１６をファスナ１４の直下からへそ程度までとなるように形成した。
しかし本発明はこれに限られるものではなく、へそより下まであってもよい。
【００２７】
図１に示す実施例では、下着に袖部１３を形成し、長さをひじ程度までとしたが、本発明はこれに限られるものではなく、袖部１３の長さはもっと長くても短くてもよく、又、袖部１３のない、いわゆる袖なしタイプであってもよい。
【００２８】
図３、図４及び図５に示す実施例では、後ろ身頃部１１と脇部１２の縫着線上の左右１箇所ずつを開口して遠赤外線放射シートの挿入口１８とし、前記遠赤外線放射シート４０を後ろポケット部５５に挿入・移動自在とした。
しかし、本発明はこれに限られるものではなく、前記挿入口１８は前記縫着線上の複数箇所に形成してもよい。
【００２９】
請求項１記載の発明によれば、遠赤外線放射セラミックスを練り込んだ繊維を用いた布地からなる上半身用下着において、前身頃部１０と後ろ身頃部１１は、それぞれ表地と裏地の２枚重ね合わせとし、かつ、前記前身頃部１０には、身体の腹部における複数の経穴に位置して遠赤外線放射シート４０を挿入する前ポケット部１６を形成し、前記後ろ身頃部１１の表地と裏地の間には、身体の背部における複数の経穴に位置して遠赤外線放射シート４０を挿入する後ポケット部５５を形成してなることを可能とした。
従って、下着が２枚の布地により形成されていても厚みが生じず、かつ、体表から放射された熱が２枚の布地の間に留まるので充分な保温効果を得ることができる。
また、遠赤外線放射シート４０により腹部中央線上及び／又は背面にある任意の経穴を集中的に温熱刺激できるので、より高い病気治療及び健康増進効果を得ることができる。
前身頃部１０は、前身頃表地４４と前身頃裏地４５の２枚重ね合わせからなり、このうち前身頃表地４４は、上辺が肩幅と略同一幅を有し、上辺の中央部に半円状の首穴部１９を切り欠き、この首穴部１９の中央から垂直にファスナー取付け部１２を切り欠き、上辺両側から下辺の裾部にかけて上辺の約半分の幅の逆台形をなし、この前身頃表地４４に前脇腹表地４６を縫着してなり、前記前身頃裏地４５は、前記前身頃表地４４と同一形状をなし、首穴部１９とファスナー取付け部１２を有し、この前身頃裏地４５に前脇腹裏地４７を縫着してなり、これらの前身頃表地４４と前身頃裏地４５、前脇腹表地４６と前脇腹裏地４７がそれぞれ２枚重ね合せの状態で縫着され、前記ファスナー取付け部１２の両側であって、裏地側に細幅の補助部１５にファスナ１４を取り付けて縫着し、この補助部１５の下方の裏地側には、遠赤外線放射シートを挿入するための前ポケット部１６を形成し、前ポケット部１６は、だん中、中かん、水分のうちのいずれか１つ又は２つ以上の径穴をカバーできるものとしたので、身体の腹部側の１又は複数個の経穴の温熱効果を得ることを可能とする上半身用下着を提供することができる。
【００３２】
請求項２記載の発明によれば、前記後ろ身頃部１１は、後ろ頃表地４８と後ろ頃裏地４９の２枚重ね合わせからなり、このうち後ろ頃表地４８は、上辺が肩幅と略同一幅を有し、上辺両側から下辺の裾部にかけて上辺の約半分の幅の逆台形をなし、この後ろ身頃表地４８に後ろ脇腹表地５０を縫着してなり、前記後ろ身頃裏地４９は、前記後ろ身頃表地４８と同一形状をなし、この後ろ身頃裏地４９に後ろ脇腹裏地５１を縫着し、これらの前身頃表地４４と前身頃裏地４５、後ろ脇腹表地５０と後ろ脇腹裏地５１がそれぞれ２枚重ね合せの状態で縫着され、前記後ろ身頃表地４８と後ろ身頃裏地４９とは、挿入口１８を除いて周縁部を縫着することで、これらの２枚重ね合わせの間は、挿入口１８から前記遠赤外線放射シート４０を挿入するための後ろポケット部５５となり、この後ろポケット部５５は、上半身の背骨の両側に沿って存在する風門２４、肩井２５、肺兪２６、心兪２７、膈兪、肝兪、脾兪３０、胃兪、腎兪３２のうちのいずれか１つ又は２つ以上の径穴をカバーできるものとしたので、身体の背部側の１又は複数個の経穴の温熱効果を得ることを可能とする上半身用下着を提供することができる。
【図面の簡単な説明】
【図１】本発明による上半身用下着の一実施例を示す前見頃部側から見た正面図である。
【図２】図１における前見頃部を分解した正面図で、（ａ）は、前見頃部表地、（ｂ）は、前見頃部裏地、（ｃ）は、前見頃の補助部とファスナー部、（ｄ）は、前見頃の前ポケット部である。
【図３】本発明による上半身用下着の一実施例を示す後ろ見頃部側から見た正面図である。
【図４】図３における後ろ見頃部を分解した正面図で、（ａ）は、後ろ見頃部表地、（ｂ）は、後ろ見頃部裏地である。
【図５】本発明による上半身用下着を着用したときの背面から見た図である。
【符号の説明】
１０…前身頃部、１１…後ろ身頃部、１２…ファスナー取り付け部、１３…袖部、１４…ファスナ、１５…補助部、１６…前ポケット部、１７…挿入口、１８…挿入口、１９…首穴部、２４…風門、２５…肩井、２６…肺兪、２７…心兪、３０…脾兪、３２…腎兪、４０…遠赤外線放射シート、４１…脇下部、４２…脇裾部、４３…裾部、４４…前見頃表地、４５…前見頃裏地、４６…前脇腹表地、４７…前脇腹裏地、４８…後ろ見頃表地、４９…後ろ見頃裏地、５０…後脇腹表地、５１…後脇腹裏地、５２…前見頃袖地、５３…後ろ見頃袖地、５４…ステッチ、５５…後ろポケット部。
【図１】
0003763792.tif 000002
【図２】
0003763792.tif 000003
【図３】
0003763792.tif 000004
【図４】
0003763792.tif 000005
【図５】
0003763792.tif 000006